(57)【要約】無線通信のための方法、装置、およびコンピュータ・プログラム製品が提供される。ここでは、無線ネットワークにおけるダウンリンク送信モードが、複数入力複数出力（ＭＩＭＯ）動作におけるモバイル端末のために準静的に構成される。この装置は、複数のランクのために複数のプリコーディング行列インジケータ（ＰＭＩ）を提供する。装置による複数のＰＭＩの提供によって、異なるランク間でバランスされたパフォーマンスが可能となり、一般に必ずしもすべての送信のために最適であるとは限らないＰＭＩおよび単一のランクのみを装置が提供する場合に観察される最適なパフォーマンス未満になることを回避する。装置によって受信されるフィードバック・コンフィギュレーション情報は、許容できるランク値において調整された複数のチャネル状態情報フィードバック・インスタンスを定義する。フィードバック・インスタンスに対応するランク・インジケータ（ＲＩ）およびＰＭＩが決定され、チャネル状態情報フィードバック・インスタンスのためにフィードバックが提供される。
2015517760.tif 000002
【特許請求の範囲】
【請求項１】
無線通信の方法であって、
複数の許容できるランク値セットを、チャネル状態情報（ＣＳＩ）フィードバック処理セットへ関連付ける、フィードバック・コンフィギュレーション情報を受信することと、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定することと、ここで、前記選択することは、基地局からのシグナリングに基づき、
前記選択された許容できるランク値セットに対応する少なくとも１つのＲＩ−ＰＭＩペアを決定することと、
前記少なくとも１つのチャネル品質インジケータ（ＣＱＩ）を決定することと、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信することと、
を備える方法。
【請求項２】
前記選択された許容できるランク値セットは、複数の許容できるランク値を含む、請求項１に記載の方法。
【請求項３】
前記選択された許容できるランク値セットは、前記ＣＳＩレポートがスケジュールされるサブフレームのうちの１または複数のセットに基づいて決定される、請求項１に記載の方法。
【請求項４】
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、請求項１に記載の方法。
【請求項５】
前記フィードバック・コンフィギュレーション情報を受信することは、
おのおののＣＳＩフィードバック処理セットに関連付けられた許容できるランク値セットを指定するビットマップを受信することと、
前記ビットマップにおいて指定された許容できるランク値セットから少なくとも１つのＲＩを決定することにより、前記許容できるランク値セットによって、おのおののＣＳＩフィードバック処理セットを調整することと、
おのおののＣＳＩフィードバック処理セットに関連付けられた少なくとも１つの許容できるＲＩ−ＰＭＩペアを指定するビットマップを受信することと、
のうちの少なくとも１つを備え、
前記ＲＩおよび前記ＰＭＩは、前記ビットマップにおいて指定された少なくとも１つの許容できるＲＩ−ＰＭＩペアについて決定される、請求項１に記載の方法。
【請求項６】
許容できるランク値セットは、いくつかのＲＩ−ＰＭＩペアを除外する、請求項１に記載の方法。
【請求項７】
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、請求項１に記載の方法。
【請求項８】
前記フィードバック・コンフィギュレーション情報は、おのおののＣＳＩフォードバック処理セットのコードブックにおける１または複数のＰＭＩをディセーブする、請求項７に記載の方法。
【請求項９】
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信することは、
複数のサブ帯域からサブ帯域のセットを決定することと、
前記サブ帯域のセットに対応する第１のＣＳＩレポートを提供することと、
前記複数のサブ帯域に対応する第２のＣＳＩレポートを提供することと
を含む、請求項１に記載の方法。
【請求項１０】
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、請求項１に記載の方法。
【請求項１１】
無線通信の方法であって、
少なくとも第１のチャネル状態情報（ＣＳＩ）処理および第２のＣＳＩ処理を定義するフィードバック・コンフィギュレーション・シグナリングを受信することと、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定することと、
前記第１のＣＳＩ処理のために決定されたサブ帯域選択および／またはＲＩに基づいて、前記第２のＣＳＩ処理のためのＣＳＩ情報を決定することと、
前記第１のＣＳＩ処理または前記第２のＣＳＩ処理のうちの少なくとも１つのためのＣＳＩ情報を送信することと、
を備える方法。
【請求項１２】
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、請求項１１に記載の方法。
【請求項１３】
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、請求項１２に記載の方法。
【請求項１４】
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成される、請求項１３に記載の方法。
【請求項１５】
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、請求項１３に記載の方法。
【請求項１６】
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、請求項１３に記載の方法。
【請求項１７】
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、請求項１１に記載の方法。
【請求項１８】
無線通信のための装置であって、
複数の許容できるランク値セットを、チャネル状態情報（ＣＳＩ）フィードバック処理セットへ関連付ける、フィードバック・コンフィギュレーション情報を受信する手段と、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定する手段と、ここで、前記選択することは、基地局からのシグナリングに基づき、
前記選択された許容できるランク値セットに対応する少なくとも１つのＲＩ−ＰＭＩペアを決定する手段と、
少なくとも１つのチャネル品質インジケータ（ＣＱＩ）を決定する手段と、ここで、おのおののＣＱＩは、前記少なくとも１つのＲＩ−ＰＭＩペアのうちの１つに対応し、
前記少なくとも１つのＲＩ−ＰＭＩペアおよび前記少なくとも１つのＣＱＩを含むＣＳＩレポートを前記基地局へ送信する手段と、
を備える装置。
【請求項１９】
前記選択された許容できるランク値セットは、複数の許容できるランク値を含む、請求項１８に記載の装置。
【請求項２０】
前記選択された許容できるランク値セットは、前記ＣＳＩレポートがスケジュールされるサブフレームのうちの１または複数のセットに基づいて決定される、請求項１８に記載の装置。
【請求項２１】
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、請求項１８に記載の装置。
【請求項２２】
前記フィードバック・コンフィギュレーション情報を受信する手段は、
おのおののＣＳＩフィードバック処理セットに関連付けられた許容できるランク値セットを指定するビットマップを受信すること、
前記ビットマップにおいて指定された許容できるランク値セットから少なくとも１つのＲＩを決定することにより、前記許容できるランク値セットによって、おのおののＣＳＩフィードバック処理セットを調整するここ、
または、おのおののＣＳＩフィードバック処理セットに関連付けられた少なくとも１つの許容できるＲＩ−ＰＭＩペアを指定するビットマップを受信すること
のうちの少なくとも１つを実行するように構成され、
前記ＲＩおよび前記ＰＭＩは、前記ビットマップにおいて指定された少なくとも１つの許容できるＲＩ−ＰＭＩペアについて決定される、請求項１８に記載の装置。
【請求項２３】
許容できるランク値セットは、いくつかのＲＩ−ＰＭＩペアを除外する、請求項１８に記載の装置。
【請求項２４】
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、請求項１８に記載の装置。
【請求項２５】
前記フィードバック・コンフィギュレーション情報は、おのおののＣＳＩフォードバック処理セットのコードブックの１または複数のＰＭＩをディセーブルする、請求項２４に記載の装置。
【請求項２６】
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信する手段は、複数のサブ帯域からサブ帯域のセットを決定し、前記サブ帯域のセットに対応する第１のＣＳＩレポートを提供し、前記複数のサブ帯域に対応する第２のＣＳＩレポートを提供するように構成された、請求項１８に記載の装置。
【請求項２７】
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、請求項１８に記載の装置。
【請求項２８】
無線通信のための装置であって、
少なくとも第１のチャネル状態情報（ＣＳＩ）処理および第２のＣＳＩ処理を定義するフィードバック・コンフィギュレーション・シグナリングを受信する手段と、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定する手段と、
前記第１のＣＳＩ処理のために決定されたサブ帯域選択および／またはＲＩに基づいて、前記第２のＣＳＩ処理のためのＣＳＩ情報を決定する手段と、
前記第１のＣＳＩ処理または第２のＣＳＩ処理のうちの少なくとも１つのためのＣＳＩ情報を送信する手段と、
を備える装置。
【請求項２９】
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、請求項２８に記載の装置。
【請求項３０】
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、請求項２９に記載の装置。
【請求項３１】
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成された、請求項３０に記載の装置。
【請求項３２】
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、請求項３０に記載の装置。
【請求項３３】
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、請求項３０に記載の装置。
【請求項３４】
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、請求項２８に記載の装置。
【請求項３５】
無線通信のための装置であって、
複数の許容できるランク値セットを、チャネル状態情報（ＣＳＩ）フィードバック処理セットへ関連付ける、フィードバック・コンフィギュレーション情報を受信し、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定し、ここで、前記選択することは、基地局からのシグナリングに基づき、
前記選択された許容できるランク値セットに対応する少なくとも１つのＲＩ−ＰＭＩペアを決定し、
前記少なくとも１つのチャネル品質インジケータ（ＣＱＩ）を決定し、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信する
ように構成された少なくとも１つの処理システム、を備える装置。
【請求項３６】
前記選択された許容できるランク値セットは、複数の許容できるランク値を含む、請求項３５に記載の装置。
【請求項３７】
前記選択された許容できるランク値セットは、前記ＣＳＩレポートがスケジュールされるサブフレームのうちの１または複数のセットに基づいて決定される、請求項３５に記載の装置。
【請求項３８】
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、請求項３５に記載の装置。
【請求項３９】
前記フィードバック・コンフィギュレーション情報を受信するように構成された少なくとも１つの処理システムは、
おのおののＣＳＩフィードバック処理セットに関連付けられた許容できるランク値セットを指定するビットマップを受信することと、
前記ビットマップにおいて指定された許容できるランク値セットから少なくとも１つのＲＩを決定することにより、前記許容できるランク値セットによって、おのおののＣＳＩフィードバック処理セットを調整することと、
おのおののＣＳＩフィードバック処理セットに関連付けられた少なくとも１つの許容できるＲＩ−ＰＭＩペアを指定するビットマップを受信することと
のうちの少なくとも１つを実行するように構成され、
前記ＲＩおよび前記ＰＭＩは、前記ビットマップにおいて指定された少なくとも１つの許容できるＲＩ−ＰＭＩペアについて決定される、請求項３５に記載の装置。
【請求項４０】
許容できるランク値セットは、いくつかのＲＩ−ＰＭＩペアを除外する、請求項３５に記載の装置。
【請求項４１】
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、請求項３５に記載の装置。
【請求項４２】
前記フィードバック・コンフィギュレーション情報は、おのおののＣＳＩフォードバック処理セットのコードブックにおける１または複数のＰＭＩをディセーブルする、請求項４１に記載の装置。
【請求項４３】
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信するように構成された少なくとも１つの処理システムは、複数のサブ帯域からサブ帯域のセットを決定し、前記サブ帯域のセットに対応する第１のＣＳＩレポートを提供し、前記複数のサブ帯域に対応する第２のＣＳＩレポートを提供する
ように構成された、請求項３５に記載の装置。
【請求項４４】
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、請求項３５に記載の装置。
【請求項４５】
無線通信のための装置であって、
少なくとも第１のチャネル状態情報（ＣＳＩ）処理および第２のＣＳＩ処理を定義するフィードバック・コンフィギュレーション・シグナリングを受信する手段と、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定する手段と、
前記第１のＣＳＩ処理のために決定されたサブ帯域選択および／またはＲＩに基づいて、前記第２のＣＳＩ処理のためのＣＳＩ情報を決定する手段と、
前記第１のＣＳＩ処理または第２のＣＳＩ処理のうちの少なくとも１つのためのＣＳＩ情報を送信する手段と、
を備える装置。
【請求項４６】
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、請求項４５に記載の装置。
【請求項４７】
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、請求項４６に記載の装置。
【請求項４８】
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成された、請求項４７に記載の装置。
【請求項４９】
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、請求項４７に記載の装置。
【請求項５０】
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、請求項４７に記載の装置。
【請求項５１】
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、請求項４５に記載の装置。
【請求項５２】
コンピュータ・プログラム製品であって、
複数の許容できるランク値セットを、チャネル状態情報（ＣＳＩ）フィードバック処理セットへ関連付ける、フィードバック・コンフィギュレーション情報を受信することと、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定することと、ここで、前記選択することは、基地局からのシグナリングに基づき、
前記選択された許容できるランク値セットに対応する少なくとも１つのＲＩ−ＰＭＩペアを決定することと、
前記少なくとも１つのチャネル品質インジケータ（ＣＱＩ）を決定することと、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信することと、
のためのコードを備えるコンピュータ読取可能な媒体、を備えるコンピュータ・プログラム製品。
【請求項５３】
コンピュータ・プログラム製品であって、
少なくとも第１のチャネル状態情報（ＣＳＩ）処理および第２のＣＳＩ処理を定義するフィードバック・コンフィギュレーション・シグナリングを受信することと、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定することと、
前記第１のＣＳＩ処理のために決定されたサブ帯域選択および／またはＲＩに基づいて、前記第２のＣＳＩ処理のためのＣＳＩ情報を決定することと、
前記第１のＣＳＩ処理または前記第２のＣＳＩ処理のうちの少なくとも１つのためのＣＳＩ情報を送信することと、
のためのコードを備えるコンピュータ読取可能な媒体、コンピュータ・プログラム製品。
【発明の詳細な説明】
【関連出願に対する相互参照】
【０００１】
本願は、「改善されたＭＩＭＯサポートのためのランク特有のフィードバック」（RANK-SPECIFIC FEEDBACK FOR IMPROVED MIMO SUPPORT）と題され２０１２年５月１１日に出願された米国仮特許出願６１／６４６，２０３号と、「改善されたＭＩＭＯサポートのためのランク特有のフィードバック」（RANK-SPECIFIC FEEDBACK FOR IMPROVED MIMO SUPPORT）と題され２０１２年８月２３日に出願された米国仮特許出願６１／６９２，６６４号と、「改善されたＭＩＭＯサポートのためのランク特有のフィードバック」（RANK-SPECIFIC FEEDBACK FOR IMPROVED MIMO SUPPORT）と題され２０１３年３月３日に出願された米国特許出願１３／８８７，１６８号と、の利益を主張する。これらの開示は、全体が本明細書において参照によって明確に組み込まれている。
【技術分野】
【０００２】
本開示は、一般に通信システムに関し、さらに詳しくは、複数のアンテナを備える端末をサポートする無線通信ネットワークに関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。最新の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスのためのサポートを改善し、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技法を用いて他のオープンな規格と統合する。しかしながら、モバイル・ブロードバンド・アクセスに対する需要が増加しているので、ＬＴＥ技術をさらに発展させる必要性がある。好適には、これらの改善は、これらの技術を適用するその他の多元接続技術および通信規格に適用可能であるべきである。
【発明の概要】
【０００５】
ＬＴＥネットワークでは、ＵＥは、シングル・ユーザＭＩＭＯ（ＳＵ−ＭＩＭＯ）モードまたはマルチ・ユーザＭＩＭＯ（ＭＵ−ＭＩＭＯ）モードで動作し、ＵＥは、基地局スケジューリングの決定に基づいて、ＳＵ−ＭＩＭＯとＭＵ−ＭＩＭＯとの間を動的に切り換えうる。しかしながら、ＵＥは単に、可能性のあるすべてのランクのために必ずしも最適でもバランスされている訳でもない単一のプリコーディング行列インジケータ（ＰＭＩ）を提供する。本開示のさまざまな態様は、複数のランクのための複数のＰＭＩ、または、異なるランク間でバランスされている単一のＰＭＩ、を提供することに関する。端末によって、複数のＰＭＩまたはバランスされたＰＭＩを提供することは、ＵＥが単一のランクに基づいて単一のＰＭＩのみを提供する場合に比べて、複数のランクに対する改善されたパフォーマンスを可能にする。
【０００６】
本開示の態様では、ＵＥは、ＵＥチャネル状態情報フィードバックのためプリコーディング行列インジケータ（ＰＭＩ）を用いるように構成されうる。ＰＭＩは、ＵＥによってフォードバックされる、ＭＩＭＯ動作に関連している信号を備えうる。ＰＭＩは、ＵＥおよび基地局によって共有されているコードブック内のプリコーダのインデクスに対応しうる。ＰＭＩは、ＵＥによって基地局へシグナルされるランク・インジケータ（ＲＩ）に関連付けられうる。これは、空間多重化のために有用な送信レイヤの数に対応する。サポートされているＰＭＩのタイプは、チャネル状態情報フィードバックのタイプに依存しうる。ＵＥは、ＰＭＩをレポートしうる。ＰＭＩは、異なるランク間でバランスされたパフォーマンスを目標とし、ＰＭＩ選択におけるトレードオフの必要性を低減しながら、複数のランク・レポートを可能にする。
【０００７】
本開示の態様では、複数のチャネル状態情報（ＣＳＩ）フィードバック・インスタンスを定義するフィードバック・コンフィギュレーション情報が、ＵＥによって受信される。おのおののＣＳＩフィードバック・インスタンスは、許容できるランク値のセットのうちの１つにおいて調整される。
【０００８】
本開示の態様では、ＣＳＩインスタンスのおのおのに対応するＲＩおよびＰＭＩが決定される。
【０００９】
本開示の態様では、ＣＳＩフィードバックが、ＣＳＩフィードバック・インスタンスのうちの１または複数のために提供される。ＣＳＩフィードバックは、ＣＳＩインスタンスのおのおのに対応するＲＩおよびＰＭＩを備えうる。
【００１０】
本開示の態様では、ＣＳＩインスタンスのおのおのに対応するチャネル品質インジケータ（ＣＱＩ）が決定される。ＣＳＩフィードバックは、ＣＳＩインスタンスのおのおのに対応するＣＱＩを備える。ＰＭＩは、１または複数のＣＳＩフィードバック・インスタンスの周波数グラニュラリティを用いて決定されうる。周波数グラニュラリティは、１または複数のＣＳＩフィードバック・インスタンスのために選択されたランクに基づいて決定されうる。
【００１１】
本開示の態様では、フィードバック・コンフィギュレーション情報を受信することは、おのおののＣＳＩフィードバック・インスタンスのために許容できるランク値を指定するビットマップを受信することと、ビットマップにおいて許容できると指定されたランク値からＲＩを決定することによって、許容できるランク値のセットによって、おのおののＣＳＩフォードバック・インスタンスを調整することと、を備える。フィードバック・コンフィギュレーション情報を受信することは、おのおののＣＳＩフィードバック・インスタンスのために許容できるＲＩおよびＰＭＩの組み合わせを指定するビットマップを受信することを備えうる。ここで、ＲＩおよびＰＭＩは、ビットマップにおいて許容できるとして指定された組み合わせのために決定される。
【００１２】
本開示の態様では、サブフレームの１または複数のセットのおのおのを、１または複数のランク値に関連付けるシグナリングが受信されうる。そして、おのおののＣＳＩインスタンスの許容できるランク値のセットが、基準サブフレームを含むサブフレーム・セットに関連付けられた１または複数のランク値に基づいて決定されうる。フィードバック・コンフィギュレーション情報は、ＣＳＩフィードバックをレポートするために使用されるランクを識別しうる。フィードバック・コンフィギュレーション情報は、非定期的なフィードバック・レポートを要求するＤＣＩフォーマットにおける追加ビットによって、ＲＩおよびＰＭＩがＣＳＩフィードバックにおいてレポートされる複数のランクを識別しうる。フィードバック情報は、ＲＲＣベースのコンフィギュレーションによって、許容できるランク値のセットを識別しうる。
【００１３】
本開示の態様では、複数のサブ帯域から、サブ帯域のセットを決定することと、サブ帯域のセットに対応する第１のＣＳＩフィードバック・レポートを提供することと、複数のサブ帯域に対応する第２のＣＳＩフィードバック・レポートを提供することとによって、１または複数のランクのＣＳＩフィードバックが提供されうる。
【００１４】
本開示の態様では、ＣＳＩインスタンスのおのおのに対応するＲＩおよびＰＭＩは、チャネル測定リソースにおけるチャネル測定と、干渉測定リソースにおける干渉測定とに基づいて決定されうる。フィードバック・コンフィギュレーション情報は、おのおののＣＳＩフィードバック・インスタンスのコードブック内の１または複数のＰＭＩをディセーブルする。
【００１５】
本開示の態様では、無線通信のための方法、装置、およびコンピュータ読取可能な媒体が提供される。この装置は、複数の許容できるランク値セットをチャネル状態情報（ＣＳＩ）フィードバック処理セットへ関連付けるフィードバック・コンフィギュレーション情報を受信する。許容できるおのおののランク値セットは、少なくとも１つのランク・インジケータ（ＲＩ）とプリコーディング行列インジケータ（ＰＭＩ）とのペア（ＲＩ−ＰＭＩペア）を含む。おのおののＣＳＩフィードバック処理セットは、少なくとも１つのＣＳＩフィードバック処理を含み、おのおののＣＳＩフィードバック処理は、複数の許容できるランク値セットからの許容できるランク値セットに基づく。この装置は、複数の許容できるランク値セットに基づいて、選択される許容できるランク値セットを決定する。ここで、装置は、この選択を、基地局からのシグナリングに基づかせる。装置は、選択された許容できるランク値セットに対応する少なくとも１つのＲＩ−ＰＭＩペアを決定し；少なくとも１つのチャネル品質インジケータ（ＣＱＩ）を決定し、ここで、おのおののＣＱＩは、少なくとも１つのＲＩ−ＰＭＩペアのうちの１つに対応し；少なくとも１つのＲＩ−ＰＭＩペアと少なくとも１つのＣＱＩとを含むＣＳＩレポートを基地局へ送信する。
【００１６】
本開示の別の態様では、装置は、少なくとも第１のチャネル状態情報（ＣＳＩ）処理および第２のＣＳＩ処理を定義するフィードバック・コンフィギュレーション・シグナリングを受信する。ここで、第１のＣＳＩ処理は、第２のＣＳＩ処理のための基準ＣＳＩ処理として指定される。この装置は、第１のＣＳＩ処理に関連付けられた測定に基づいて、第１のＣＳＩ処理のためのサブ帯域選択またはランク・インジケータ（ＲＩ）のうちの少なくとも１つを決定し、第１のＣＳＩ処理のために決定されたサブ帯域選択および／またはＲＩに基づいて、第２のＣＳＩ処理のためのＣＳＩ情報を決定し、第１のＣＳＩ処理または第２のＣＳＩ処理のうちの少なくとも１つのためのＣＳＩ情報を送信する。
【図面の簡単な説明】
【００１７】
【図１】図１は、ネットワーク・アーキテクチャの例を例示する図解である。
【図２】図２は、アクセス・ネットワークの例を例示する図解である。
【図３】図３は、ＬＴＥにおけるＤＬフレーム構造の例を例示する図解である。
【図４】図４は、ＬＴＥにおけるＵＬフレーム構造の例を例示する図解である。
【図５】図５は、ユーザ・プレーンおよび制御プレーンのためのラジオ・プロトコル・アーキテクチャの例を例示する図解である。
【図６】図６は、アクセス・ネットワークにおけるイボルブド・ノードＢおよびユーザ機器の例を例示する図解である。
【図７】図７は、無線ネットワークを例示する簡略図である。
【図８】図８は、無線通信の方法のフローチャートである。
【図９】図９は、典型的な装置における異なるモジュール／手段／構成要素間のデータ・フローを例示する概念的なデータ・フロー図である。
【図１０】図１０は、処理システムを適用する装置のためのハードウェア実装の例を例示する図解である。
【図１１】図１１は、無線通信の方法のフローチャートである。
【図１２】図１２は、無線通信の方法のフローチャートである。
【図１３】図１３は、典型的な装置における異なるモジュール／手段／構成要素間のデータ・フローを例示する概念的なデータ・フロー図である。
【図１４】図１４は、処理システムを適用する装置のためのハードウェア実装の例を例示する図解である。
【発明を実施するための形態】
【００１８】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１９】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００２０】
例として、要素、要素の任意の部分、または、要素の任意の組み合わせが、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。
【００２１】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。前述した組み合わせもまた、コンピュータ読取可能な媒体の範囲内に含まれるべきである。
【００２２】
図１は、ＬＴＥネットワーク・アーキテクチャ１００を例示する図解である。ＬＴＥネットワーク・アーキテクチャ１００は、イボルブド・パケット・システム（ＥＰＳ）１００と称されうる。ＥＰＳ１００は、１または複数のユーザ機器（ＵＥ）１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００２３】
Ｅ−ＵＴＲＡＮは、イボルブド・ノードＢ（ｅＮＢ）１０６およびその他のｅＮＢ１０８を含んでいる。ｅＮＢ１０６は、ＵＥ１０２向けのユーザ・プレーン・プロトコル終端および制御プレーン・プロトコル終端を提供する。ｅＮＢ１０６は、バックホール（例えば、Ｘ２インタフェース）を介して他のｅＮＢ１０８に接続されうる。ｅＮＢ１０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ１０６は、ＵＥ１０２のために、ＥＰＣ１１０にアクセス・ポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他の類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００２４】
ｅＮＢ１０６は、Ｓ１インタフェースによってＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含んでいる。
【００２５】
図２は、ＬＴＥネットワーク・アーキテクチャにおけるアクセス・ネットワーク２００の例を例示する図解である。この例では、アクセス・ネットワーク２００は、多くのセルラ領域（セル）２０２に分割される。１または複数の低電力クラスのｅＮＢ２０８は、これらセル２０２のうちの１または複数とオーバラップするセルラ領域２１０を有しうる。低電力クラスのｅＮＢ２０８は、フェムト・セル（例えば、ホームｅＮＢ（ＨｅＮＢ））、ピコ・セル、ミクロ・セル、または遠隔ラジオ・ヘッド（ＲＲＨ）でありうる。マクロｅＮＢ２０４はおのおの、それぞれのセル２０２に割り当てられ、セル２０２内のすべてのＵＥ２０６のためにＥＰＣ１１０へアクセス・ポイントを提供するように構成されている。アクセス・ネットワーク２００のこの例では、中央コントローラは存在しないが、別の構成では、中央コントローラが使用されうる。ｅＮＢ２０４は、ラジオ・ベアラ制御、許可制御、モビリティ制御、スケジューリング、セキュリティ、および、サービス提供ゲートウェイ１１６への接続を含むすべてのラジオ関連機能を担当する。
【００２６】
アクセス・ネットワーク２００によって適用される変調および多元接続スキームは、展開されている特定の通信規格に依存して変動しうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、およびＯＦＤＭＡを適用するイボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２７】
ｅＮＢ２０４は、ＭＩＭＯ技術をサポートする複数のアンテナを有しうる。ＭＩＭＯ技術を使用することにより、ｅＮＢ２０４は、空間多重化、ビームフォーミング、および送信ダイバーシティをサポートするために空間領域を活用できるようになる。空間多重化は、同じ周波数で、異なるデータ・ストリームを同時に送信するために使用されうる。データ・ストリームは、データ・レートを高めるために単一のＵＥ２０６へ、全体的なシステム容量を高めるために複数のＵＥ２０６へ、送信されうる。これは、各データ・ストリームを空間的にプリコードし（すなわち、振幅およびフェーズのスケーリングを適用し）、空間的にプリコードされた各ストリームを、複数の送信アンテナを介してＤＬで送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６のために指定された１または複数のデータ・ストリームを復元できるようになる。ＵＬでは、おのおののＵＥ２０６が、空間的にプリコードされたデータ・ストリームを送信する。これによって、ｅＮＢ２０４は、空間的にプリコードされた各データ・ストリームのソースを識別できるようになる。
【００２８】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部における良好な有効通信範囲を達成するために、単一のストリーム・ビームフォーミング送信が、送信ダイバーシティと組み合わされて使用されうる。
【００２９】
以下に続く詳細説明では、アクセス・ネットワークのさまざまな態様が、ＤＬでＯＦＤＭをサポートするＭＩＭＯシステムに関して記述されるだろう。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。ＵＬは、高いピーク対平均電力比（ＰＡＲＲ）を補償するために、ＤＦＴ拡散ＯＦＤＭ信号の形態でＳＣ−ＦＤＭＡを使用しうる。
【００３０】
図３は、ＬＴＥにおけるＤＬフレーム構造の例を例示する図解３００である。フレーム（１０ミリ秒）が、等しいサイズの１０のサブフレームに分割されうる。
【００３１】
おのおののサブフレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。Ｒ３０２，３０４として示されるような、リソース要素のいくつかは、ＤＬ基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００３２】
図４は、ＬＴＥにおけるＵＬフレーム構造の例を例示する図解４００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００３３】
ＵＥは、ｅＮＢへ制御情報を送信するために、制御セクションにおいてリソース・ブロック４１０ａ，４１０ｂを割り当てられうる。ＵＥはまた、ｅＮＢへデータを送信するために、データ・セクションにおいてリソース・ブロック４２０ａ，４２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブフレームの両スロットにおよび、周波数を越えてホップしうる。
【００３４】
物理ランダム・アクセス・チャネル（ＰＲＡＣＨ）４３０における初期システム・アクセスの実行と、ＵＬ同期の達成とのために、リソース・ブロックのセットが使用されうる。ＰＲＡＣＨ４３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブフレームのシーケンスで伝送されうる。そして、ＵＥは、フレーム（１０ミリ秒）毎に１回のＰＲＡＣＨ試行しか行わないことがある。
【００３５】
図５は、ＬＴＥにおけるユーザ・プレーンおよび制御プレーンのためのラジオ・プロトコル・アーキテクチャの例を例示する図解５００である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６上にあり、物理レイヤ６０６を介したＵＥとｅＮＢとの間のリンクを担当する。
【００３６】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅＮＢにおいて終了する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００３７】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００３８】
制御プレーンでは、ＵＥおよびｅＮＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ＲＲＣシグナリングを用いてｅＮＢとＵＥとの間に下部レイヤを設定することと、を担当する。
【００３９】
図６は、アクセス・ネットワークにおいてＵＥ６５０と通信しているｅＮＢ６１０のブロック図である。ＤＬでは、コア・ネットワークからの上部レイヤ・パケットが、コントローラ／プロセッサ６７５へ提供される。コントローラ／プロセッサ６７５は、Ｌ２レイヤの機能を実現する。ＤＬでは、コントローラ／プロセッサ６７５は、さまざまな優先度判定基準に基づいて、ヘッダ圧縮、暗号化、パケット・セグメント化および並べ替え、論理チャネルと伝送チャネルとの間の多重化、および、ＵＥ６５０へのラジオ・リソース割当を提供する。さらに、コントローラ／プロセッサ６７５はまた、ＨＡＲＱ動作、喪失パケットの再送信、およびＵＥ６５０へのシグナリングを担当する。
【００４０】
送信（ＴＸ）プロセッサ６１６は、Ｌ１レイヤ（すなわち、物理レイヤ）のためのさまざまな信号処理機能を実現する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてＲＦキャリアを変調する。
【００４１】
ＵＥ６５０では、おのおのの受信機６５４ＲＸが、それぞれのアンテナ６５２を介して信号を受信する。おのおのの受信機６５４ＲＸは、ＲＦキャリアへ変調された情報を復元し、この情報を、受信（ＲＸ）プロセッサ６５６へ提供する。ＲＸプロセッサ６５６は、Ｌ１レイヤのさまざまな信号処理機能を実施する。ＲＸプロセッサ６５６は、この情報に対して空間処理を実行し、ＵＥ６５０のために向けられた任意の空間ストリームを復元する。複数の空間ストリームが、ＵＥ６５０に向けられている場合、これらは、ＲＸデータ・プロセッサ６５６によって、単一のＯＦＤＭシンボル・ストリームへ結合されうる。ＲＸプロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ６１０によって送信された最も可能性の高いコンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅＮＢ６１０によって送信されたオリジナルのデータ信号および制御信号が復元される。データ信号および制御信号はその後、コントローラ／プロセッサ６５９へ提供される。
【００４２】
コントローラ／プロセッサ６５９は、Ｌ２レイヤを実現する。コントローラ／プロセッサは、プログラム・コードおよびデータを格納するメモリ６６０に関連付けられうる。メモリ６６０は、コンピュータ読取可能な媒体と称されうる。ＵＬでは、制御／プロセッサ６５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク６６２へ提供される。データ・シンク６６２へは、Ｌ３処理のためにも、さまざまな制御信号が提供されうる。コントローラ／プロセッサ６５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００４３】
ＵＬでは、コントローラ／プロセッサ６５９へ上部レイヤ・パケットを提供するために、データ・ソース６６７が使用される。データ・ソース６６７は、Ｌ２レイヤ上のすべてのプロトコル・レイヤを表す。ｅノードＢ６１０によるＤＬ送信に関して記載された機能と同様に、コントローラ／プロセッサ６５９は、ヘッダ圧縮、暗号化、パケット・セグメント化および並べ替え、および、ｅＮＢ６１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ６５９はまた、ＨＡＲＱ動作、喪失パケットの再送信、およびｅＮＢ６１０へのシグナリングを担当する。
【００４４】
ｅＮＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸプロセッサ６６８によって使用されうる。ＴＸデータ・プロセッサ６６８によって生成された空間ストリームは、個別の送信機６５４ＴＸを介して別のアンテナ６５２に提供される。おのおのの送信機６５４ＴＸは、送信のために、それぞれの空間ストリームを用いてＲＦキャリアを変調する。
【００４５】
ＵＬ送信は、ＵＥ６５０における受信機機能に関して記載されたものと類似した方式で、ｅＮＢ６１０において処理される。おのおのの受信機６１８ＲＸは、それぞれのアンテナ６２０を介して信号を受信する。おのおのの受信機６１８ＲＸは、ＲＦキャリアへ変調された情報を復元し、この情報を、ＲＸデータ・プロセッサ６７０へ提供する。ＲＸプロセッサ６７０は、Ｌ１レイヤを実現しうる。
【００４６】
コントローラ／プロセッサ６７５は、Ｌ２レイヤを実現する。コントローラ／プロセッサ６７５は、プログラム・コードおよびデータを格納するメモリ６７６に関連付けられうる。メモリ６７６は、コンピュータ読取可能な媒体と称されうる。ＵＬでは、制御／プロセッサ６７５は、ＵＥ６５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ６７５からの上部レイヤ・パケットは、コア・ネットワークへ提供されうる。コントローラ／プロセッサ６７５はまた、ＨＡＲＱ動作をサポートするためにＡＣＫおよび／またはＮＡＣＫプロトコルを用いて、誤り検出を担当する。
【００４７】
図７は、ＬＴＥネットワークを備えうる無線ネットワークの単純化された概念図である。ＬＴＥネットワークでは、ダウンリンク送信モードが、ＵＥ７０４のために準静的に形成されうる。ＰＤＳＣＨ７０６の送信は、例えばＤＭ−ＲＳのようなＵＥ特有の基準信号を含みうる。ＭＩＭＯの場合、ｅＮＢ７０２スケジューリングは、ＵＥ７０４がシングル・ユーザＭＩＭＯ（ＳＵ−ＭＩＭＯ）モードで動作しているか否か、または、ＵＥ７０４がマルチ・ユーザＭＩＭＯ（ＭＵ−ＭＩＭＯ）動作で別のＵＥと同一スケジュールされているか否か、を決定しうる。ＵＥ７０２は、ｅＮＢ７０２によって決定されたスケジューリング要求に基づいて、ＳＵ−ＭＩＭＯとＭＵ−ＭＩＭＯとを動的に切り換えられうる。
【００４８】
ＵＥ７０４は、ＵＥ７０４チャネル状態情報フィードバックのためにＰＭＩを用いるように構成されうる。ＰＭＩは一般に、ＵＥ７０４によってｅＮＢ７０２へフォードバックされる信号を備える。これは、現在のＭＩＭＯ動作／モードに関連し、ＵＥ７０４およびｅＮＢ７０２によって共有されているコードブック内のプリコーダのインデクスに対応する。プリコーダ・インデクスは一般に、データ・ビットの総数を最大化するように選択される。これは、すべてのダウンリンク空間送信レイヤを介して受信されうる。ＰＭＩは、ＲＩに関連付けられる。ＲＩは、ＵＥ７０４によってｅＮＢ７０２にシグナルされ、ＵＥが決定した使用可能な送信レイヤの数に対応し、（ＵＥ７０４によって決定されたダウンリンク・チャネルの推定値に基づいて）空間多重化のために使用されうる。ＲＩは、ＵＥ７０４チャネル推定値に基づいて、ｅＮＢ７０２が、ＰＤＳＣＨ送信７０６を適応することを可能にする。
【００４９】
サポートされているＰＭＩのタイプは、チャネル状態情報（ＣＳＩ）フィードバック７０８のタイプに依存しうる。例えば、ＣＳＩフィードバック７０８は、広帯域シングルＰＭＩモードのため、および／または、ＵＥが選択したシングルＰＭＩモードのために、定期的にレポートされうる。別の例において、ＣＳＩフォードバック７０８は、広帯域マルチＰＭＩモードのために、ＵＥが選択したマルチＰＭＩモードのために、および／または、より高いプロトコル・レイヤにおいて構成されたシングルＰＭＩモードのために、非定期的にレポートされうる。ＣＳＩレポート・モードのおのおのについて、ＲＩは一般に、ダウンリンク・スループットを最大化するためにレポートされ、レポートされたＰＭＩは、レポートされたＲＩにおいて調整される。
【００５０】
いくつかの状況では、ＵＥ７０４によってレポートされたＲＩは、ｅＮＢ７０２によるＵＥ７０４へのＰＤＳＣＨ送信７０６のスケジューリングのために意図されたランクと揃えられない場合がありうる。例えば、ＵＥ７０４はランク２をレポートしうる一方、ｅＮＢ７０２は、ランク１を用いて、および／または、ＭＵ−ＭＩＭＯ動作を用いて、ＵＥ７０４のためにＰＤＳＣＨをスケジュールしうるか、スケジュールすることを意図しうる。さらに、ＰＭＩはあるランクに対応しているので、レポートされた第１のＲＩにおいて調整された第１のＰＭＩから取得されるプリコーディング情報は、レポートされた第２のＲＩのために最適ではないかもしれない。さらに、コードブックに含まれるＰＭＩの数は、ランクによって変動しうる。そして、第１のランクのためにレポートされたＰＭＩインデクスは、第２のランクのためのコードブック・エントリのためのＰＭＩインデクスに必ずしも等しくはないことがありうる。
【００５１】
第１の実施形態では、ＵＥ７０４は、異なるランク間でバランスされたパフォーマンスを目指すＰＭＩとＲＩとの組み合わせをレポートしうる。例えば、ＵＥ７０４は、ランク２のために非最適なＰＭＩをレポートしうる。これは、一例では、最適なランク２パフォーマンスからの５％の変化を提供しうるが、ランク１プリコーダが、最適なランク２  ＰＭＩから抽出された場合に、ランク１において著しく良好なパフォーマンスを達成する。このアプローチは、ＳＵ−ＭＩＭＯパフォーマンスとＭＵ−ＭＩＭＯパフォーマンスとの間の合理的なトレードオフをもたらしうる。しかしながら、本明細書に開示された代替アプローチは、マルチ・ランク・レポートを可能にし、ＰＭＩ選択におけるトレードオフの必要性を低減する。すなわち、レポートするＰＭＩを選択する場合、ＵＥは、特定のランクにおける最良のパフォーマンスではなく、複数のランクにわたって全体的に最良なパフォーマンスを提供するＰＭＩを抽出しうる。
【００５２】
いくつかの実施形態は、ＳＵ−ＭＩＭＯ動作およびＭＵ−ＭＩＭＯ動作を高めうるマルチ・ランク・フィードバック・レポートを提供する。一例において、複数の異なるランクのおのおのに対応するＰＭＩが、異なる周波数グラニュラリティで、フィードバックにおいて提供される。例えば、１つのＰＭＩは、広帯域ランクに対応する一方、別のＰＭＩは、サブ帯域特有のランクに対応する。エンハンスされたＭＵ−ＭＩＭＯサポートの場合、ＭＵ−ＭＩＭＯビーム選択を高めるために、サブ帯域レベルに、ランク１  ＰＭＩが提供されうる一方、シングル広帯域ランク２またはより高次のＰＭＩが、ＳＵ−ＭＩＭＯ動作のために十分でありうる。
【００５３】
いくつかの実施形態では、このようなレポートをいくつかのサブフレームにおいて要求することによって、ランク特有のレポートが暗黙的にトリガされうる。ＵＥ７０４によってレポートされるべきあるランクに関連付けられた、１または複数のサブフレーム・セットが定義されうる。非定期的なレポートがトリガされた場合、ＵＥ７０４は、基準サブフレームが属するサブフレーム・セットに関連付けられたランクのためのＣＳＩフィードバック７０８をレポートする。サブフレーム・セットはまた、複数のランクにも関連付けられうる。そして、複数のランクのＣＳＩフィードバック７０８は、例えば、ＰＵＳＣＨにおける非定期的なフィードバックを用いて、同じレポートで伝送されうる。その他の態様では、サブフレーム・セットが、複数のランクに関連付けられている場合、ＵＥはまた、複数のランクのサブセットのみのためＣＳＩをダウンセレクトし、レポートしうる。ランク特有のレポートは、ＲＩに関連付けられたＰＭＩ値およびＣＱＩ値を含みうる。
【００５４】
いくつかの実施形態では、マルチ・ランク・レポートのおのおののために、コードブック・サブセット制限が個別に設定されうる。１または複数のＰＭＩの使用は、増加されたダウンロード・スループットの取得と、セル間干渉の低減とのために制限されうる。したがって、複数のランク・レポートのおのおののために、ｃｏｄｅｂｏｏｋＳｕｂｓｅｔＲｅｓｔｒｉｃｔｉｏｎパラメータが個別に設定されうる。いくつかの実施形態では、既存のビットマップが、マルチ・ランク動作を考慮するように修正されうる。例えば、１つのビットマップは、どのＰＭＩがランク毎ベースでディセーブルされるのかを指定しうる。第２のビットマップは、マルチ・ランク・レポートのおのおのについて、どのランクがレポートのために許容できるのかを指定しうる。
【００５５】
いくつかの実施形態では、ランク特有のレポートが、動的にトリガされうる。ＤＣＩフォーマットにおける追加ビットは、ＣＳＩレポート７０８のためにどのランクが使用されているのかをＵＥ７０４に対して動的に示しうる。追加ビットはまた、ＵＥ７０４がシングル・ランク・レポートを提供すべきか、または、マルチ・ランク・レポートを提供すべきかをも示しうる。ランク特有のレポートは、キャリア・アグリゲーション・コンテキストにおける非定期的なＣＳＩトリガのために割り当てられた２ビット・フィールドを用いて動的にトリガされうる。例えば、２ビット・フィールドは、３つの可能な組み合わせのうちの１つを示すために使用されうる。
【００５６】
いくつかの実施形態では、２つの個別のＣＳＩレポートでフォードバックを提供するために、ＰＵＳＣＨを用いた追加の非定期的ＣＳＩフィードバック・モードが、ＵＥ７０４によって適用されうる。例えば、１つのレポートが、ＵＥ７０４が選択したサブ帯域のセットに関連付けられた測定に対して調整されうる一方、その他のレポートが、利用可能なすべてのサブ帯域に関連付けられた測定に対して調整されうる。ＵＥ７０４が選択したサブ帯域は、ビットマップによってＵＥ７０４によってｅＮＢ７０２へ伝送されうる。ＵＥは、ＵＥが選択した好適なサブ帯域およびすべてのサブ帯域それぞれのために、異なるＲＩの下でＣＳＩフィードバック７０８を提供しうる。例えば、ＵＥ７０４は、ＭＵ−ＭＩＭＯパフォーマンスを高めるために、ＵＥが選択したサブ帯域のためにランク１をレポートしうる一方、ランク１よりも高いランクに対応するＰＭＩ／ＣＱＩ情報は、広帯域ベースで伝送されうる。好適なサブ帯域を伝送する際におけるより高い柔軟性を可能にするために、サブ帯域選択を伝送するために使用されるビットマップが、適用および／またはエンハンスされうる。
【００５７】
いくつかの実施形態では、追加の定期的なＣＳＩフィードバック・モードのために、マルチ・ランク・サポートが提供されうる。定期的なレポート・モードが使用される場合、ＵＥ７０４は、ＲＲＣコンフィギュレーション７１０によってＵＥ７０４へシグナルされる予め定められたタイムラインにしたがってＣＳＩをレポートしうる。ＲＩと、レポートされた場合、プリコーダ・タイプ・フィードバックまたはプリコーダ・タイプ・インジケータ（ＰＴＩ）は、一般に、個別のレポート・インスタンスでレポートされる。一般に、ＰＭＩ／ＣＱＩレポートは、もしもレポートされているのであれば、最後に送信されたＲＩおよびＰＴＩにおいて調整される。定期的なレポートのためのペイロードは、予め定義されたビット数に制限されうる。したがって、マルチ・ランク・レポートのために、複数の個別の定期的なレポート・インスタンスが設定されうる。各定期的なレポート・インスタンスは、定期的なＣＳＩレポート・コンフィギュレーションの一部としてＲＲＣシグナリング７１０によって設定されたあるＲＩに結び付けられうる。いくつかの実施形態では、ＵＥ７０４によってレポートされうる許容できるランクを制限するために、ランク制限ビットマップが適用されうる。いくつかの実施形態では、ＲＩ送信は、ＣＳＩレポート７０８において選択的に抑制されうる。これによって、ＲＩは、ＵＥ７０４によって送信されうることも送信されないこともありうる。例えば、マルチ・ランク・フィードバックによって、ＵＥ７０４が１より多くの許容できる値から選択できる場合に、ＲＩが送信されうる。単一のＲＩ値のみが許容できる場合、ＲＩレポートは省略されうる。ＰＴＩがＲＩとともにレポートされるべきであれば、レポートが送信されうるか、あるいは、単にＲＩフィールドが省略されうる。
【００５８】
いくつかの実施形態では、ランク特有のレポートは、協調マルチポイント送信（ＣｏＭＰ）ＣＳＩレポート・インスタンスに基づきうる。ＣｏＭＰでは、ＣＳＩレポート７０８は、個別に設定されたチャネル測定リソース（ＣＭＲ）および干渉測定リソース（ＩＭＲ）に基づきうる。ＣＭＲは、チャネル推定を実行するために、ＵＥ７０４によって使用される非ゼロ電力のＣＳＩ−ＲＳリソースを備えうる。複数のＣＭＲがサポートされ、ＣｏＭＰ測定セットを備えうる。ＩＭＲは、干渉推定を実行するためにＵＥ７０４によって使用されるゼロ電力および／または非ゼロ電力のＣＳＩ−ＲＳリソースを備えうる。１または複数のＩＭＲがサポートされうる。いくつかの実施形態では、複数のＣＳＩフィードバック７０８インスタンスがＣｏＭＰによって利用可能であり、おのおののＣＳＩフィードバック７０８インスタンスは、１つのＣＭＲおよび１つのＩＭＲのリンクによって定義されうる。
【００５９】
いくつかの実施形態では、ランク制限は、おのおののＣＳＩフィードバック７０８インスタンスのために指定されうる。例えば、ＵＥ７０４は、特定のＣＳＩフィードバック７０８インスタンスのために可能なＲＩ値のサブセットのみを考慮するように制限されうる。１または複数のＣＳＩレポートが、そのようなＲＩ制限によって特徴付けられうる。ランク制限ビットマップは、ＵＥが選択したＲＩ値を備える単一のＣＳＩレポートが、ＣＳＩフィードバック７０８においてレポートされるべきである場合にのみ、ＵＥ７０４へ、許容できるランク値をシグナルするように定義されうる。ランク制限ビットマップは、複数のＣＳＩレポートが所望される場合、それぞれが個別のＣＳＩレポートに対応する複数のランク制限を許可するように拡張されうる。例えば、２つのＣＳＩレポートが所望されているのであれば、１つは、ランク１のみに制限され、他の１つは、ランク１またはそれより高いランクが可能でありうる。
【００６０】
いくつかの実施形態は、異なるＣＳＩレポート・コンフィギュレーション間の相互依存を提供する。例えば、１つのレポート・コンフィギュレーションのためにＵＥ７０４によって選択されたラク（例えば、ランク１またはそれ以上のランク）が、別のＣＳＩレポート・コンフィギュレーションのものと同じであれば、１つのレポートが省略されうる。なぜなら、これらレポートは、同一の情報を含みうるからである。いくつかの実施形態では、例えば、レポートを生成するために異なるＩＭＲが使用され、ＲＩのみが同じである場合のように、ＰＭＩ／ＣＱＩがコンフィギュレーション間で異なっているのであれば、レポートが送信されうる。
【００６１】
いくつかの実施形態では、異なるレポート・インスタンスのためにＵＥが選択したＲＩにわたって、いくつかの調整が指定されうる。例えば、ＵＥ７０４は、別のレポート・コンフィギュレーションに関連付けられたＲＩよりも長くない、１つのレポート・コンフィギュレーションに関連付けられたＲＩを選択することが要求されうる。これによって、ＳＵ−ＭＩＭＯパフォーマンスとＭＵ−ＭＩＭＯパフォーマンスとの間のトレードオフが容易になる。いくつかの実施形態では、ＭＵ−ＭＩＭＯのためにＵＥ７０４によってレポートされるランクは、ＳＵ−ＭＩＭＯのためにレポートされるランクよりも長くないように制約されうる。
【００６２】
いくつかの実施形態では、ＣｏＭＰ  ＣＳＩレポート・インスタンスを用いたランク特有のレポートは、例えばサブフレーム・セット、動的トリガ等のような準静的シグナリング、および／または、動的シグナリングと組み合わされうる。ランク制限ビットマップが、シングルＣＳＩレポート・コンフィギュレーションを考慮する場合であっても、対応するＣＭＲおよびＩＭＲにマップする個別のＣＳＩフィードバック・インスタンスを設定することによって、ランク制限された複数のレポート・コンフィギュレーションが達成されうる。個別に設定されたＣＳＩレポート・コンフィギュレーションは、このようなランク制限されたレポートのために必要とされうる。
【００６３】
ランク制限は、ＳＵ−ＭＩＭＯとＭＵ−ＭＩＭＯとの間のパフォーマンス・トレードオフに関連付けられた一般的な利点に加えて、ＣｏＭＰとともに使用された場合に、さまざまな利点を提供する。ランク制限は、ネットワークが、いくつかのサブフレームにおいてあるランクをスケジュールすることをイネーブルしうる。例えば、ＵＥ７０４が、例えば、マクロがアクティブである場合における「クリーンではない」サブフレームのようなサブフレームのセットで、ランク１をレポートすることに制限される。これは、例えば、隣接するピコ・セルのセル範囲拡張領域にあるＵＥ７０４のように、マクロ干渉によってインパクトを受ける別のクラスのＵＥ７０４のパフォーマンスを改善しうる。
【００６４】
マルチ・ランクＰＭＩレポートに加えて、追加のＲＩ／ＰＭＩに対応する広帯域およびサブ帯域のＣＱＩがレポートされうる。いくつかの実施形態では、定期的なＣＳＩレポートが、ＣＳＩペイロードに対する制限にしたがう場合、主に非定期的なＣＳＩレポートを用いて、追加のレポートが実行されうる。例えば、ＣＳＩペイロードは、レポート毎に１１ビットに制限されうる一方、非定期的なＣＳＩレポートは、ＣＳＩペイロードにおいて、より緩和された制限を有し、ここでは、ペイロード・サイズは、２０ＭＨｚシステムについて、キャリア毎ベースで、約７０ビットに制限されうる。キャリア・アグリゲーションが使用される場合、非定期的なＣＳＩのためのペイロード・サイズに対する制限は、プラス３００ビットに増加されうる。
【００６５】
ＣｏＭＰのためランク制限されたＣＳＩフィードバックをサポートする別のアプローチは、基準ＣＳＩ処理を定義することである。例えば、同じランクを持つＣＳＩレポートを実行するために２つのＣＳＩ処理が所望されるのであれば、これら２つのＣＳＩ処理のうちの１つが、「基準処理」として指定されうる。基準処理にリンクされているこれら２つのＣＳＩ処理のうちの他方は、その後、基準処理のものと同じランクを選択することに制限されうる。基準処理およびリンクされた処理の指定は、ＲＲＣコンフィギュレーションによって実行されうる。
【００６６】
基準処理は、ＰＵＣＣＨモード２−１のために、ＲＩフィードバックおよびサブ帯域選択に関連付けられうる。後者のケースの場合、ランクに類似して、基準処理にリンクされた何れかのＣＳＩ処理は、単に、基準処理のサブ帯域選択を再使用し、基準処理の「継承された」特性に対して調整された残りのフィードバック・メトリック（例えば、ＰＭＩ、ＣＱＩ）の計算を実行しうる。
【００６７】
そのような基準処理の使用は、本明細書において対処されるいくつかの解決策に至る。１つの態様では、基準処理の定義は、定期的なフィードバック・レポートのためのフィードバック・タイムラインにインパクトを与える。特に、フィードバック・レポート・タイムラインは、フィードバック・モードに依存して、以前のＲＩレポートおよび／またはＰＭＩレポートに対して調整された広帯域および／またはサブ帯域のＰＭＩ／ＣＱＩレポートを含みうる。一般に、ＲＩは、システム帯域幅のすべてのＰＭＩ／ＣＱＩレポートにわたってサイクルするのに要する時間の整数倍である周期でレポートされる。例えば、ＰＵＣＣＨモード２−１において、このようなサイクルは、帯域幅部分にわたって実行される。したがって、基準処理が無い場合、ランクは、サイクル全体が完了した後にのみ変化しうる。しかしながら、基準処理が設定された場合、ＲＩ周期またはオフセットは、基準処理のＲＩが変化する一方、リンクされた処理がＰＭＩ／ＣＱＩレポートのサイクルを経験するような方式で設定されることが可能でありうる。このケースでは、ＵＥが、最近レポートされたＲＩ値を用いて直ちに開始すべきか否か、または、そうする前に、先ず、ＰＭＩ／ＣＱＩレポート・サイクルを完了させるべきか否かが明確ではない。ＵＥが、更新されたＲＩ値を用いて直ちに起動するのであれば、（古いＲＩ対新しいＲＩについて調整する）ＰＭＩレポートとＣＱＩレポートとの間の矛盾を含むいくつかの問題が生じる。これらは、ＲＩレポートとＰＭＩレポートとの相反する組み合わせにおいて調整されると考えられている。ＰＴＩ選択に対しても同様の問題が生じる。
【００６８】
さらなる態様では、前述した相反性は、基準ＣＳＩ処理と、その１または複数のリンクされたＣＳＩ処理との間のレポート・タイムラインの構成を制限することによって解決されうる。例えば、ＲＩレポート周期とＲＩ／ＰＭＩレポートの周期とを念入りに選択することによって、ＲＩ、サブ帯域選択、またはＰＴＩ変化が、（例えば、ＲＩレポートが、連続的に、または、近くのサブフレームにおいて生じるようにさせることによって）リンクされたＣＳＩ処理のための相反する調整に至らないように、基準／リンク処理のレポート・タイムラインが揃えられうる。
【００６９】
別の態様では、前述した相反性は、基準処理のサブ帯域メトリック、または更新されたＲＩまたはＰＴＩを直ちに適用しないことによって回避されうる。一方、リンクされた処理が、ＰＭＩ／ＣＱＩレポート・サイクル内にある間に、ＲＩ、ＰＴＩ、またはサブ帯域メトリックが変化するのであれば、ＵＥは、古いＲＩ、ＰＴＩ、またはサブ帯域メトリックに基づいて継続するだろう。サイクルが完了した後にのみ、ＵＥは、基準処理のサブ帯域情報、または更新されたＲＩまたはＰＩＴを用いるだろう。
【００７０】
特定の態様では、基準処理およびリンクされた処理の間のサブ帯域選択またはＲＩまたはＰＴＩは、基準処理のサブ帯域選択またはＲＩまたはＰＴＩに対するリンクされた処理のＰＭＩ／ＣＱＩ計算を調整するのではなく、ダイレクトにリンクされうる。ＲＩまたはＰＴＩまたはサブ帯域選択をダイレクトにリンクすることによって、リンクされた各処理について、ＲＩ、ＰＴＩ、またはサブ帯域選択は、リンクされた処理が、対応する値を変えることができる時にしか変わらないことが保証される。このケースでは、リンクされた処理のＰＭＩ／ＣＱＩ計算は、（基準処理ではなく）リンクされた処理のサブ帯域選択およびＲＩおよびＰＴＩのみに基づくように継続するであろう。しかしながら、リンクされた処理のサブ帯域選択およびＰＴＩおよびＲＩは、基準処理のサブ帯域選択およびＲＩおよびＰＴＩにダイレクトに結び付けられるであろう。
【００７１】
別の態様では、ＣＳＩ基準処理は、ＲＩのため、およびＰＵＣＣＨモード２−１におけるサブ帯域選択に関してしか議論されていないが、これは、例えばＰＵＳＣＨモード２−２のようなその他のレポート・モードと、例えばプリコーディング・タイプ・インジケータ（ＰＴＩ）のようなその他のフィードバック・メトリックに拡張されうる。具体的には、ＰＵＳＣＨモード２−２の場合、サブ帯域の好適なセットは、非定期的なレポートのために選択される。基準処理を用いてＣＳＩ処理を設定することによって、ＵＥは、リンクされた処理の基準処理の好適なサブ帯域選択を再使用するように構成されうる。（８Ｔｘで設定された）ＰＵＣＣＨモード２−１における定期的なレポートのために使用されるＰＴＩへの拡張に関して、基準処理からのＰＴＩ選択は、リンクされた処理によって再使用されうる。これはまた、基準処理とリンクされたＣＳＩ処理との間で揃えられている広帯域およびサブ帯域のＰＭＩ／ＣＱＩのレポート・タイムラインの利益を有する。
【００７２】
図８は、無線通信の方法のフローチャート８００である。この方法はＵＥ  ７０４によって実行されうる。
【００７３】
ステップ８０２では、ＵＥ７０４が、複数のＣＳＩフィードバック・インスタンスを定義するフィードバック・コンフィギュレーション情報を受信する。おのおののＣＳＩフィードバック・インスタンスは、許容できるランク値のセットのうちの１つにおいて調整されうる。いくつかの実施形態では、フィードバック・コンフィギュレーションを受信することは、おのおののＣＳＩフィードバック・インスタンスのために許容できるランク値を指定するビットマップを受信することを含む。いくつかの実施形態では、フィードバック・コンフィギュレーションを受信することは、ビットマップにおいて許容できると指定されるべきであるランク値からＲＩを決定することによって、許容できるランク値のセットによって、おのおののＣＳＩフィードバック・インスタンスを調整することを含む。いくつかの実施形態では、フィードバック・コンフィギュレーションを受信することは、おのおののＣＳＩフィードバック・インスタンスのために許容できるＲＩとＰＭＩとの組み合わせを指定するビットマップを受信することを含む。そして、ＲＩおよびＰＭＩは、ビットマップによって許容できると指定されている組み合わせのために決定されうる。
【００７４】
いくつかの実施形態では、フィードバック・コンフィギュレーションを受信することは、サブフレームにおける１または複数のセットのおのおのを、１または複数のランク値に関連付けるシグナリングを受信することを含む。いくつかの実施形態では、フィードバック・コンフィギュレーションを受信することは、基準サブフレームを含むサブフレーム・セットに関連付けられた１または複数のランク値に基づいて、おのおののＣＳＩインスタンスのために許容できるランク値のセットを決定することを含む。いくつかの実施形態では、フィードバック・コンフィギュレーション情報は、ＣＳＩフィードバック７０８をレポートするために使用されるランクを識別する。
【００７５】
いくつかの実施形態では、フィードバック・コンフィギュレーション情報は、非定期的なフィードバック・レポートを要求するＤＣＩフォーマットにおける追加ビットによって、ＲＩおよびＰＭＩがＣＳＩフィードバック７０８においてレポートされる複数のランクを識別する。フィードバック情報は、定期的なフィードバック・レポートのためのＲＲＣベースのコンフィギュレーションによって、許容できるランク値のセットを識別しうる。いくつかの実施形態では、フィードバック・コンフィギュレーション情報は、おのおののＣＳＩフィードバック・インスタンスのコードブック内の１または複数のＰＭＩをディセーブルする。
【００７６】
ステップ８０４では、ＵＥ７０４は、ＣＳＩインスタンスのおのおのに対応するＰＭＩおよびＲＩを決定する。いくつかの実施形態では、ＰＭＩは、１または複数のＣＳＩフィードバック・インスタンスのための周波数グラニュラリティを用いて決定される。周波数グラニュラリティは、１または複数のＣＳＩフィードバック・インスタンスのために選択されたランクに基づいて決定されうる。いくつかの実施形態では、ＰＭＩは、選択されたＣＳＩフィードバック・インスタンスの周波数グラニュラリティを用いて決定されレポートされる。周波数グラニュラリティは、１または複数のＣＳＩフィードバック・インスタンスのために選択されたランクに基づいて決定される。ＣＳＩフィードバック・インスタンスのうちの１つのためにＰＭＩが決定されレポートされる周波数は、１つのＣＳＩフィードバック・インスタンスに対応するランクに基づいて選択される。
【００７７】
ステップ８０６では、ＵＥ７０４は、ＣＳＩフィードバック・インスタンスのうちの１または複数のためにＣＳＩフィードバック７０８を提供する。ＣＳＩフィードバック７０８は、ＣＳＩインスタンスのおのおのに対応するＲＩおよびＰＭＩを備える。１または複数のランクのためのＣＳＩフォードバック７０８を提供することは、複数のサブ帯域からサブ帯域のセットを決定することと、サブ帯域のセットに対応する第１のＣＳＩフォードバック・レポートを提供することと、複数のサブ帯域に対応する第２のＣＳＩフィードバック・レポートを提供することと、を含みうる。
【００７８】
いくつかの実施形態では、ＣＳＩインスタンスのおのおのに対応するＲＩおよびＰＭＩは、チャネル測定リソースにおけるチャネル測定と、干渉測定リソースにおける干渉測定とに基づいて決定される。
【００７９】
ステップ８０８では、ＵＥ７０４が、ＣＳＩインスタンスのおのおのに対応するＣＱＩを決定する。ＣＳＩフィードバック７０８は、ＣＳＩインスタンスのおのおのに対応するＣＱＩを備えうる。
【００８０】
図９は、典型的な装置９０２における異なるモジュール／手段／構成要素間のデータ・フローを例示する概念的なデータ・フロー図９００である。装置は、ＵＥ７０４でありうる。装置は、複数のＣＳＩフィードバック・インスタンスを定義するフィードバック・コンフィギュレーション情報を受信する受信モジュール９０４と、ＣＳＩインスタンスに対応するＲＩおよびＰＭＩを決定するモジュール９０６と、ＣＳＩインスタンスに対応するＣＱＩを決定するモジュール９０８と、ＣＳＩフォードバック７０８をｅＮＢ９０５に送信する送信モジュール９１０とを含む。
【００８１】
装置は、前述した図８のフローチャートにおけるアルゴリズムのステップのおのおのを実行する追加モジュールを含みうる。このため、前述した図８のフローチャートのおのおののステップは、モジュールによって実行され、装置は、これらのモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【００８２】
図１０は、処理システム１０１４を適用する装置９０２’のためのハードウェア実装の例を例示する図解１０００である。処理システム１０１４は、一般にバス１０２４によって表されているバス・アーキテクチャを用いて実現されうる。バス１０２４は、全体的な設計制約および処理システム１０１４の特定のアプリケーションに依存して、任意の数の相互接続バスおよびブリッジを含みうる。バス１０２４は、プロセッサ１００４、モジュール９０４，９０６，９０８，９１０、およびコンピュータ読取可能な媒体１００６によって表わされる１または複数のプロセッサおよび／またはハードウェア・モジュールを含むさまざまな回路をともにリンクする。バス１０２４はさらに、例えば、タイミング・ソース、周辺機器、電圧制御装置、および電力管理回路のようなその他さまざまな回路を接続しうる。これらは、当該技術分野で良く知られているので、さらなる説明はしない。
【００８３】
処理システム１０１４は、トランシーバ１０１０に接続されうる。トランシーバ１０１０は、１または複数のアンテナ１０２０に接続されうる。トランシーバ１０１０は、送信媒体を介してその他さまざまな装置と通信するための手段を提供する。処理システム１０１４は、コンピュータ読取可能な媒体１００６に接続されたプロセッサ１００４を含む。プロセッサ１００４は、コンピュータ読取可能な媒体１００６に格納されたソフトウェアの実行を含む一般的な処理を担当する。ソフトウェアは、プロセッサ１００４によって実行された場合、処理システム１０１４に対して、任意の特定の装置のために記載されたさまざまな機能を実行させる。コンピュータ読取可能な媒体１００６はまた、ソフトウェアが実行されている場合に、プロセッサ１００４によって操作されるデータを格納するためにも使用されうる。処理システムはさらに、モジュール９０４，９０６，９０８，９１０のうちの少なくとも１つを含んでいる。モジュールは、プロセッサ１００４において動作するソフトウェア・モジュールであるか、コンピュータ読取可能な媒体１００６に常駐／格納されるか、プロセッサ１００４に接続された１または複数のハードウェア・モジュールであるか、または、これらのある組み合わせでありうる。処理システム１０１４は、ＵＥ６５０の構成要素でありうる。そして、メモリ６６０と、および／または、ＴＸプロセッサ６６８、ＲＸプロセッサ６５６、およびコントローラ／プロセッサ６５９のうちの少なくとも１つとを含みうる。
【００８４】
１つのコンフィギュレーションでは、無線通信のための装置９０２／９０２’は、複数のＣＳＩフィードバック・インスタンスを定義するフィードバック・コンフィギュレーション情報を受信する手段９０４と、ＣＳＩインスタンスのおのおのに対応するＲＩおよびＰＭＩを決定する手段９０６と、ＣＳＩインスタンスのおのおのに対応するＣＱＩを決定する手段９０８と、ＣＳＩフォードバック・インスタンスの１または複数のＣＳＩフィードバック７０８を提供するモジュール９１０とを含む。
【００８５】
おのおののＣＳＩフィードバック・インスタンスは、許容できるランク値のセットのうちの１つにおいて調整され、ＣＳＩフィードバック７０８は、ＣＳＩインスタンスのおのおのに対応するＲＩおよびＰＭＩを備えうる。ＣＳＩフィードバック７０８は、ＣＳＩインスタンスのおのおのに対応するＣＱＩを備えうる。ＰＭＩおよびＲＩは、ＣＳＩフィードバック・インスタンスの周波数グラニュラリティを用いて決定され、これによって周波数グラニュラリティは、１または複数のＣＳＩフィードバック・インスタンスのために選択されたランクに基づいて決定される。
【００８６】
フィードバック・コンフィギュレーション情報は、おのおののＣＳＩフィードバック・インスタンスのために許容できるランク値を指定するビットマップを含みうる。フィードバック・コンフィギュレーション情報は、ビットマップにおいて許容できると指定されているランク値からＲＩを決定することによって、許容できるランク値のセットによって、おのおののＣＳＩフィードバック・インスタンスを調整しうる。
【００８７】
フィードバック・コンフィギュレーション情報を受信する手段は、おのおののＣＳＩフィードバック・インスタンスのために許容できるＲＩとＰＭＩとの組み合わせを指定するビットマップを受信し、ビットマップにおいて許容できるとして指定されている組み合わせのＲＩおよびＰＭＩを決定しうる。フィードバック・コンフィギュレーション情報は、ＣＳＩフィードバック７０８をレポートするために使用されるランクを識別しうる。フィードバック・コンフィギュレーション情報は、非定期的なフィードバック・レポートを要求するＤＣＩフォーマットにおける追加ビットによって、ＲＩおよびＰＭＩがＣＳＩフィードバック７０８においてレポートされる複数のランクを識別しうる。このフィードバック情報は、定期的なフィードバック・レポートのため、ＲＲＣベースのコンフィギュレーションによって、許容できるランク値のセットを識別しうる。
【００８８】
１または複数のランクのためのＣＳＩフィードバック７０８を提供する手段は、複数のサブ帯域からサブ帯域のセットを決定し、サブ帯域のセットに対応する第１のＣＳＩフィードバック・レポートを提供し、複数のサブ帯域に対応する第２のＣＳＩフィードバック・レポートを提供しうる。ＣＳＩインスタンスのおのおのに対応するＲＩおよびＰＭＩは、チャネル測定リソースにおけるチャネル測定と、干渉測定リソースにおける干渉測定とに基づいて決定されうる。フィードバック・コンフィギュレーション情報は、おのおののＣＳＩフィードバック・レポートのため、コードブック内の１または複数のＰＭＩをディセーブルしうる。
【００８９】
前述した手段は、前述した手段によって記載されている機能を実行するように構成された装置９０２’の処理システム１０１４および／または装置９０２の前述したモジュールのうちの１または複数でありうる。前述したように、処理システム１０１４は、ＴＸプロセッサ６６８、ＲＸプロセッサ６５６、およびコントローラ／プロセッサ６５９を含みうる。そのため、１つの構成では、前述した手段は、前述した手段によって記述された機能を実行するように構成されたＴＸプロセッサ６６８、ＲＸプロセッサ６５６、およびコントローラ／プロセッサ６５９でありうる。
【００９０】
図１１は、無線通信の方法のフローチャート１１００である。この方法は、ＵＥ７０４によって実行されうる。
【００９１】
ステップ１１０２では、ＵＥ７０４は、複数の許容できるランク値セットをチャネル状態情報（ＣＳＩ）フィードバック処理セットに関連付けるフィードバック・コンフィギュレーション情報を受信する。おのおのの許容できるランク値セットは、少なくとも１つのランク・インジケータ（ＲＩ）とプリコーディング行列インジケータ（ＰＭＩ）とのペア（ＲＩ−ＰＭＩペア）を含みうる。許容できるランク値セットはまた、いくつかのＲＩ−ＰＭＩペアを除外しうる。おのおののＣＳＩフィードバック処理セットは、少なくとも１つのＣＳＩフィードバック処理を含みうる。そして、おのおののＣＳＩフィードバック処理は、複数の許容できるランク値セットからの許容できるランク値セットに基づきうる。
【００９２】
ステップ１１０４では、ＵＥ７０４は、複数の許容できるランク値セットに基づいて、選択される許容できるランク値セットを決定する。選択された許容できるランク値セットは、複数の許容できるランク価を含んでいる。ＵＥ７０４は、この選択を、基地局（例えば基地局７０２）からのシグナリングに基づかせうる。さらに、選択される許容できるランク値セットは、ＣＳＩレポートがスケジュールされるサブフレームの１または複数のセットに基づいて決定されうる。
【００９３】
ステップ１１０６では、ＵＥ７０４は、選択された許容できるランク値セットに対応する少なくとも１つのＲＩ−ＰＭＩペアを決定する。態様では、決定された少なくとも１つのＲＩ−ＰＭＩペアのうちのＰＭＩは、選択された許容できるランク値セットのうちの複数の許容できるランク値に対して最適なパフォーマンスを与えるＰＭＩに相当する。ステップ１１０８では、ＵＥ７０４は、少なくとも１つのチャネル品質インジケータ（ＣＱＩ）を決定する。おのおののＣＱＩは、少なくとも１つのＲＩ−ＰＭＩペアのうちの１つに対応しうる。ステップ１１１０では、ＵＥ７０４は、少なくとも１つのＲＩ−ＰＭＩペアおよび少なくとも１つのＣＱＩを含むＣＳＩレポートを基地局へ送信しうる。
【００９４】
態様では、フィードバック・コンフィギュレーション情報は、非定期的なフィードバック・レポートを要求する、ダウンリンク制御情報（ＤＣＩ）フォーマットにおける追加ビットによって、少なくとも１つのＲＩ−ＰＭＩペアがＣＳＩレポートでレポートされる複数の許容できるランク値セットを識別する。
【００９５】
別の態様では、ＵＥ７０４は、おのおののＣＳＩフィードバック処理セットに関連付けられた許容できるランク値セットを指定するビットマップを受信することと、ビットマップにおいて指定された許容できるランク値セットから少なくとも１つのＲＩを決定することにより、許容できるランク値セットによって、おのおののＣＳＩフィードバック処理セットを調整することとによって、フィードバック・コンフィギュレーション情報を受信しうる。さらに、または、その代わりに、ＵＥ７０４は、おのおののＣＳＩフィードバック処理セットに関連付けられた少なくとも１つの許容できるＲＩ−ＰＭＩペアを指定するビットマップを受信することによって、フィードバック・コンフィギュレーション情報を受信しうる。ここで、ＲＩおよびＰＭＩは、ビットマップにおいて指定された少なくとも１つの許容できるＲＩ−ＰＭＩペアについて決定される。
【００９６】
さらなる態様では、ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される。フィードバック・コンフィギュレーション情報は、おのおののフィードバック処理セットのためコードブック内の１または複数のＰＭＩをディセーブルしうる。
【００９７】
さらに別の態様では、ＰＭＩは、少なくとも１つのＣＳＩフィードバック処理のための周波数グラニュラリティを用いて決定されうる。周波数グラニュラリティは、少なくとも１つのＣＳＩフィードバック処理のために選択されたランク値に基づいて決定されうる。フィードバック・コンフィギュレーション情報は、定期的なフィードバック・レポートのため、ＲＲＣベースのコンフィギュレーションによって、許容できるランク値セットを識別しうる。さらに、ＵＥ７０４は、複数のサブ帯域からサブ帯域のセットを決定することと、サブ帯域のセットに対応する第１のＣＳＩレポートを提供することと、複数のサブ帯域に対応する第２のＣＳＩレポートを提供することとによって、ＣＳＩレポートを送信しうる。
【００９８】
図１２は、無線通信の方法のフローチャート１２００である。この方法は、ＵＥ７０４によって実行されうる。
【００９９】
ステップ１２０２では、ＵＥ７０４は、少なくとも第１のチャネル状態情報（ＣＳＩ）処理および第２のＣＳＩ処理を定義するフィードバック・コンフィギュレーション・シグナリングを受信する。第１のＣＳＩ処理は、第２のＣＳＩ処理のための基準ＣＳＩ処理として指定されうる。ステップ１２０４では、ＵＥ７０４は、第１のＣＳＩ処理に関連付けられた測定に基づいて、第１のＣＳＩ処理のためのサブ帯域選択またはランク・インジケータ（ＲＩ）のうちの少なくとも１つを決定する。
【０１００】
ステップ１２０６では、ＵＥ７０４は、第１のＣＳＩ処理のために決定されたサブ帯域選択および／またはＲＩに基づいて、第２のＣＳＩ処理のためのＣＳＩ情報を決定する。第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを含みうる。第２のＣＳＩ処理のためのＣＳＩ情報はさらに、ＰＴＩが第１のＣＳＩ処理のために設定されている場合でかつ、第２のＣＳＩ処理のためのＣＳＩ情報が第１のＣＳＩ情報のためのＲＩに基づいている場合、第１のＣＳＩ処理に関連付けられたＰＴＩに基づきうる。
【０１０１】
態様では、第２のＣＳＩ処理に関連付けられたＰＭＩおよびＣＱＩは、第１のＣＳＩ処理に関連付けられたサブ帯域選択および／またはＲＩに基づいて決定される。さらに、第２のＣＳＩ処理の定期的なレポート・コンフィギュレーションに関連付けられたＰＭＩおよびＣＱＩフィードバック・タイムラインは、第１のＣＳＩ処理のサブ帯域選択および／またはＲＩに関連する、相反する調整を回避するように構成される。
【０１０２】
別の態様では、第２のＣＳＩ処理に関連付けられたＣＱＩおよびＰＭＩは、第２のＣＳＩ処理のレポート・サイクルの開始時または開始前に生じた第１のＣＳＩ処理の、最後にレポートされたサブ帯域選択、および／または、最後にレポートされたＲＩに基づいて決定される。
【０１０３】
さらなる態様では、第２のＣＳＩ処理に関連付けられたＣＱＩおよびＰＭＩは、第２のＣＳＩ処理の最後にレポートされたサブ帯域選択および／または最後にレポートされたＲＩに基づいて決定される。さらに、第２のＣＳＩ処理のサブ帯域選択および／またはＲＩは、第１のＣＳＩ処理のサブ帯域選択および／または最後にレポートされたＲＩから継承される。
【０１０４】
ステップ１２０８では、ＵＥ７０４は、第１のＣＳＩ処理または第２のＣＳＩ処理のうちの少なくとも１つのためのＣＳＩ情報を送信する。態様では、第１のＣＳＩ処理および第２のＣＳＩ処理は、定期的または非定期なフィードバック・レポートを用いるように設定される。さらなる態様では、第１のＣＳＩ処理および第２のＣＳＩ処理が、物理アップリンク共有チャネル（ＰＵＳＣＨ）モード２−２に基づいて、非定期的なフィードバック・レポートを用いるように構成されているのであれば、第２のＣＳＩ処理は、第１のＣＳＩ処理のために決定された好適なサブ帯域のセットと同じとなるべき、関連付けられた好適なサブ帯域のセットを選択する。
【０１０５】
図１３は、典型的な装置１３０２における異なるモジュール／手段／構成要素間のデータ・フローを例示する概念的なデータ・フロー図１３００である。装置は、ＵＥ（例えば、ＵＥ７０４）でありうる。装置は、受信モジュール１３０４、ＲＩ／ＰＭＩ決定モジュール１３０６、ＣＱＩ決定モジュール１３０８、許容可能ランク値決定モジュール１３１０、サブ帯域／ＰＴＩ処理モジュール１３１２、ＣＳＩ処理モジュール１３１４、および、送信モジュール１３１６を含む。
【０１０６】
受信モジュール１３０４は、複数の許容できるランク値セットを、チャネル状態情報（ＣＳＩ）フィードバック処理セットに関連付けるフィードバック・コンフィギュレーション情報を受信する。おのおのの許容できるランク値セットは、少なくとも１つのランク・インジケータ（ＲＩ）とプリコーディング行列インジケータ（ＰＭＩ）とのペア（ＲＩ−ＰＭＩペア）を含みうる。許容できるランク値セットはまた、いくつかのＲＩ−ＰＭＩペアを除外しうる。おのおののＣＳＩフィードバック処理セットは、少なくとも１つのＣＳＩフィードバック処理を含み、おのおののＣＳＩフィードバック処理は、複数の許容できるランク値セットからの、許容できるランク値セットに基づきうる。
【０１０７】
許容可能ランク値決定モジュール１３１０は、複数の許容できるランク値セットに基づいて、選択される許容できるランク値セットを決定する。選択された許容できるランク値セットは、複数の許容できるランク値を含む。許容可能ランク値決定モジュール１３１０は、この選択を、基地局（例えば、基地局１３０）からのシグナリングに基づかせうる。さらに、選択された許容できるランク値セットは、ＣＳＩレポートがスケジュールされるサブフレームの１または複数のセットに基づいて決定されうる。
【０１０８】
ＲＩ／ＰＭＩ決定モジュール１３０６は、選択された許容できるランク値セットに対応する少なくとも１つのＲＩ−ＰＭＩペアを決定する。態様では、決定された少なくとも１つのＲＩ−ＰＭＩペアのうちのＰＭＩは、選択された許容できるランク値セットのうちの、複数の許容できるランク値に対する最適なパフォーマンスを提供するＰＭＩに相当する。ＣＱＩ決定モジュール１３０８は、少なくとも１つのチャネル品質インジケータ（ＣＱＩ）を決定する。ここで、おのおののＣＱＩは、少なくとも１つのＲＩ−ＰＭＩペアのうちの少なくとも一方に対応しうる。送信モジュール１３１６は、（ＣＱＩ決定モジュール１３０８によって決定された）少なくとも１つのＣＱＩと（ＲＩ／ＰＭＩ決定モジュール１３０６によって決定された）少なくとも１つのＲＩ−ＰＭＩペアを含むＣＳＩレポートを基地局１３５０へ送信しうる。
【０１０９】
態様では、フィードバック・コンフィギュレーション情報は、非定期的なフィードバック・レポートを要求するダウンリンク制御情報（ＤＣＩ）フォーマットにおける追加ビットによって、少なくとも１つのＲＩ−ＰＭＩペアがＣＳＩレポートにおいてレポートされる複数の許容できるランク値セットを識別する。
【０１１０】
別の態様では、許容可能ランク値決定するモジュール１３１０は、おのおののＣＳＩフィードバック処理セットに関連付けられた許容できるランク値セットを指定するビットマップを受信することによって、フィードバック・コンフィギュレーション情報を（受信モジュール１３０４によって）受信しうる。したがって、ＲＩ／ＰＭＩ決定モジュール１３０６は、ビットマップで指定された許容できるランク値セットから少なくとも１つのＲＩを決定することによって、許容できるランク値によって、おのおののＣＳＩフィードバック処理セットを調整しうる。さらに、または、その代わりに、ＲＩ／ＰＭＩ決定モジュール１３０６は、おのおののフィードバック処理セットに関連付けられた少なくとも１つの許容できるＲＩ−ＰＭＩペアを指定するビットマップを受信することによって、フィードバック・コンフィギュレーション情報を受信しうる。ここで、ＲＩ／ＰＭＩ決定モジュール１３０６は、ビットマップで指定された少なくとも１つの許容できるＲＩ−ＰＭＩペアのＲＩおよびＰＭＩを決定する。
【０１１１】
さらなる態様では、ＲＩ／ＰＭＩ決定モジュール１３０６は、チャネル測定リソースにおけるチャネル測定と、干渉測定リソースにおける干渉測定とに基づいて、ＣＳＩフィードバック処理セットのおのおのに関連付けられた少なくとも１つのＲＩ−ＰＭＩペアのＲＩおよびＰＭＩを決定する。フィードバック・コンフィギュレーション情報は、おのおののＣＳＩフォードバック処理セットのコードブックの１または複数のＰＭＩをディセーブルしうる。
【０１１２】
また別の態様では、ＲＩ／ＰＭＩ決定モジュール１３０６は、少なくとも１つのＣＳＩフィードバック処理のための周波数グラニュラリティを用いてＰＭＩを決定しうる。周波数グラニュラリティは、少なくとも１つのＣＳＩフィードバック処理のために選択されたランク値に基づいて決定されうる。フィードバック・コンフィギュレーション情報は、定期的なフィードバック・レポートのためＲＲＣベースのコンフィギュレーションによって、許容できるランク値セットを識別しうる。さらに、送信モジュール１３１６は、複数のサブ帯域から（サブ帯域／ＰＴＩ処理モジュール１３１２によって）サブ帯域のセットを決定することと、サブ帯域のセットに対応する第１のＣＳＩレポートを提供することと、複数のサブ帯域に対応する第２のＣＳＩレポートを提供することとによって、ＣＳＩレポートを送信しうる。
【０１１３】
態様では、受信モジュール１３０４は、少なくとも第１のチャネル状態情報（ＣＳＩ）処理および第２のＣＳＩ処理を定義するフィードバック・コンフィギュレーション・シグナリングを受信する。第１のＣＳＩ処理は、第２のＣＳＩ処理のための基準ＣＳＩ処理として指定されうる。ＲＩ／ＰＭＩ決定モジュール１３０６は、第１のＣＳＩ処理に関連付けられた測定に基づいて、第１のＣＳＩのためのランク・インジケータ（ＲＩ）を決定しうる。さらに、または、その代わりに、サブ帯域／ＰＴＩ処理モジュール１３１２は、第１のＣＳＩ処理に関連付けられた測定に基づいて、第１のＣＳＩのためのサブ帯域選択を決定する。
【０１１４】
ＣＳＩ処理モジュール１３１４は、第１のＣＳＩ処理のために決定されたサブ帯域選択および／またはＲＩに基づいて、第２のＣＳＩ処理のためのＣＳＩ情報を決定する。第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを含みうる。第２のＣＳＩ処理のためのＣＳＩ情報はさらに、ＰＴＩが第１のＣＳＩ処理のために設定されている場合、および、第２のＣＳＩ処理のためのＣＳＩ情報が第１のＣＳＩ処理のためのＲＩに基づいている場合に、第１のＣＳＩ処理に関連付けられたＰＴＩに基づきうる。
【０１１５】
態様では、ＲＩ／ＰＭＩ決定モジュール１３０６は、第１のＣＳＩ処理に関連付けられたサブ帯域選択および／またはＲＩに基づいて、第２のＣＳＩ処理に関連付けられたＰＭＩを決定する。さらに、ＣＱＩ決定モジュール１３０８は、第１のＣＳＩ処理に関連付けられたサブ帯域選択および／またはＲＩに基づいて、第２のＣＳＩ処理に関連付けられたＣＱＩを決定する。第２のＣＳＩ処理の定期的なレポート・コンフィギュレーションに関連付けられた、ＰＭＩおよびＣＱＩフィードバック・タイムラインは、第１のＣＳＩ処理のサブ帯域選択および／またはＲＩに関する相反する調整を回避するように構成される。
【０１１６】
別の態様では、ＲＩ／ＰＭＩ決定モジュール１３０６が、第２のＣＳＩ処理のレポート・サイクルの開始時または開始前に生じた第１のＣＳＩ処理の、最後にレポートされたサブ帯域選択、および／または、最後にレポートされたＲＩに基づいて、第２のＣＳＩ処理に関連付けられたＰＭＩを決定する。さらに、ＣＱＩ決定モジュール１３０８は、第２のＣＳＩ処理のレポート・サイクルの開始時または開始前に生じた第１のＣＳＩ処理の、最後にレポートされたサブ帯域選択、および／または、最後にレポートされたＲＩに基づいて、第２のＣＳＩ処理に関連付けられたＣＱＩを決定する。
【０１１７】
さらなる態様では、第２のＣＳＩ処理に関連付けられたＰＭＩおよびＣＱＩは、第２のＣＳＩ処理の最後にレポートされたサブ帯域選択および／または最後にレポートされたＲＩに基づいて、（ＲＩ／ＰＭＩ決定モジュール１３０６およびＣＱＩ決定モジュール１３０８それぞれによって）決定される。さらに、第２のＣＳＩ処理のＲＩおよび／またはサブ帯域選択は、第１のＣＳＩ処理のサブ帯域選択および／または最後にレポートされたＲＩから継承される。
【０１１８】
ＣＳＩ処理モジュール１３１４は、第１のＣＳＩ処理または第２のＣＳＩ処理のうちの少なくとも１つのＣＳＩ情報を（送信モジュール１３１６によって）送信する。態様では、第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成される。そして、第２のＣＳＩ処理は、第１のＣＳＩ処理のために決定された好適なサブ帯域のセットと同じであるべき、関連付けられた好適なサブ帯域のセットを選択する。
【０１１９】
装置は、図１１−１２の前述したフローチャートにおけるアルゴリズムのステップのおのおのを実行する追加モジュールを含みうる。そのため、図１１−１２の前述したフローチャートにおけるおのおののステップは、モジュールによって実行され、この装置は、これらモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【０１２０】
図１４は、処理システム１４１４を適用する装置１３０２’のハードウェア実装の例を例示する図解１４００である。処理システム１４１４は、一般にバス１４２４によって表されているバス・アーキテクチャを用いて実現されうる。バス１４２４は、全体的な設計制約および処理システム１４１４の特定のアプリケーションに依存して、任意の数の相互接続バスおよびブリッジを含みうる。バス１４２４は、プロセッサ１４０４、モジュール１３０４，１３０６，１３０８，１３１０，１３１２，１３１４，１３１６およびコンピュータ読取可能な媒体１４０６によって表される１または複数のプロセッサおよび／またはハードウェア・モジュールを含むさまざまな回路をともにリンクする。バス１４２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【０１２１】
処理システム１４１４は、トランシーバ１４１０に接続されうる。トランシーバ１４１０は、１または複数のアンテナ１４２０に接続されうる。トランシーバ１４１０は、送信媒体を介してその他さまざまな装置と通信するための手段を提供する。トランシーバ１４１０は、１または複数のアンテナ１４２０から信号を受信し、受信した信号から情報を抽出し、抽出した情報を処理システム１４１４へ、具体的には受信モジュール１３０４へ提供する。さらに、トランシーバ１４１０は、処理システム１４１４から、具体的には送信モジュール１３１６から、情報を受信し、受信した情報に基づいて、１または複数のアンテナ１４２０へ適用されるべき信号を生成する。処理システム１４１４は、コンピュータ読取可能な媒体１４０６に接続されたプロセッサ１４０４を含む。プロセッサ１４０４は、コンピュータ読取可能な媒体１４０６に格納されたソフトウェアの実行を含む一般的な処理を担当する。ソフトウェアは、プロセッサ１４０４によって実行された場合、処理システム１４１４に対して、任意の特定の装置のために記載されたさまざまな機能を実行させる。コンピュータ読取可能な媒体１４０６はまた、ソフトウェアが実行されている場合に、プロセッサ１４０４によって操作されるデータを格納するためにも使用されうる。処理システムはさらに、モジュール１３０４，１３０６，１３０８，１３１０，１３１２，１３１６のうちの少なくとも１つを含む。これらモジュールは、プロセッサ１４０４において動作するソフトウェア・モジュールでありうるか、コンピュータ読取可能な媒体に常駐／格納されうるか、プロセッサ１４０４に接続された１または複数のハードウェア・モジュールであるか、これらのいくつかの組み合わせでありうる。処理システム１４１４は、ＵＥ６５０の構成要素でありうる。そして、メモリ６６０と、および／または、ＴＸプロセッサ６６８、ＲＸプロセッサ６５６、およびコントローラ／プロセッサ６５９のうちの少なくとも１つとを含みうる。
【０１２２】
１つの構成では、無線通信のための装置１３０２／１３０２’は、複数の許容できるランク値セットをチャネル状態情報（ＣＳＩ）フィードバック処理セットへ関連付けるフィードバック・コンフィギュレーション情報を受信する手段を含む。ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、複数の許容できるランク値セットからの許容できるランク値セットに基づく。この装置はさらに、複数の許容できるランク値セットに基づいて、選択される許容できるランク値セットを決定する手段を含む。ここで、選択することは、基地局からのシグナリングに基づく。この装置はさらに、選択された許容できるランク値セットに対応する少なくとも１つのＲＩ−ＰＭＩペアを決定する手段と、少なくとも１つのチャネル品質インジケータ（ＣＱＩ）を決定する手段とを含む。ここで、おのおののＣＱＩは、少なくとも１つのＲＩ−ＰＭＩペアのうちの１つに対応する。この装置はさらに、少なくとも１つのＲＩ−ＰＭＩペアおよび少なくとも１つのＣＱＩを含むＣＳＩレポートを基地局へ送信する手段と、少なくとも第１のチャネル状態情報（ＣＳＩ）処理および第２のＣＳＩ処理を定義するフィードバック・コンフィギュレーション・シグナリングを受信する手段とを含む。ここで、第１のＣＳＩの処理は、第２のＣＳＩ処理のための基準ＣＳＩ処理として指定される。この装置はさらに、第１のＣＳＩ処理に関連付けられた測定に基づいて、第１のＣＳＩ処理のためのサブ帯域選択またはランク・インジケータ（ＲＩ）のうちの少なくとも１つを決定する手段と、第１のＣＳＩ処理のために決定されたサブ帯域選択および／またはＲＩに基づいて、第２のＣＳＩ処理のためのＣＳＩ情報を決定する手段と、第１のＣＳＩ処理または第２のＣＳＩ処理のうちの少なくとも１つのためのＣＳＩ情報を送信する手段と、を含む。
【０１２３】
前述した手段は、前述した手段によって記述された機能を実行するように構成された装置１３０２’の処理システム１４１４および／または装置１３０２の前述したモジュールのうちの１または複数でありうる。前述したように、処理システム１４１４は、ＴＸプロセッサ６６８、ＲＸプロセッサ６５６、およびコントローラ／プロセッサ６５９を含みうる。そのため、１つの構成では、前述した手段は、前述した手段によって記述された機能を実行するように構成されたＴＸプロセッサ６６８、ＲＸプロセッサ６５６、およびコントローラ／プロセッサ６５９でありうる。
【０１２４】
開示された処理のステップの具体的な順序または階層は、典型的なアプローチの例示であることが理解される。設計選択に基づいて、これら処理におけるステップの具体的な順序または階層は、再構成されうることが理解される。さらに、いくつかのステップは、結合または省略されうる。同伴する方法請求項は、さまざまなステップの要素を、サンプル順で示しており、示された具体的な順序または階層に限定されないことが意味される。
【０１２５】
前述された記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
【図１】
2015517760.tif 000003
【図２】
2015517760.tif 000004
【図３】
2015517760.tif 000005
【図４】
2015517760.tif 000006
【図５】
2015517760.tif 000007
【図６】
2015517760.tif 000008
【図７】
2015517760.tif 000009
【図８】
2015517760.tif 000010
【図９】
2015517760.tif 000011
【図１０】
2015517760.tif 000012
【図１１】
2015517760.tif 000013
【図１２】
2015517760.tif 000014
【図１３】
2015517760.tif 000015
【図１４】
2015517760.tif 000016
【国際調査報告】
2015517760.tif 000017
2015517760.tif 000018
2015517760.tif 000019
2015517760.tif 000020
2015517760.tif 000021